【手続補正書】
【提出日】令和3年12月1日(2021.12.1)
【手続補正１】
【補正対象書類名】特許請求の範囲
【補正対象項目名】全文
【補正方法】変更
【補正の内容】
【特許請求の範囲】
【請求項１】
物質移動カラムで使用するための接触トレーであって、前記接触トレーは、
液体流を受容するためのトレーデッキと、
前記トレーデッキ全体に分散された複数の弁と、を備え、
前記複数の弁のそれぞれは、
中央部分と、前記中央部分の対向する端部から外向きに延在する延長部と、を有して、前記液体流が前記トレーデッキ上に受容されたときに、前記液体流と相互作用するように、流体が前記トレーデッキを通過することを可能にする前記トレーデッキ内の開口と、
前記開口の前記中央部分の対向する側部に沿って上向きに延在する壁部分と、
弁本体と、を含み、
前記弁本体は、前記開口の上で被覆関係に位置付けられた弁蓋と、脚部と、を含み、
前記脚部は、前記弁蓋の対向する端部に位置する凹部において前記弁蓋に取り付けられ、前記開口内の前記延長部を通って下向きに延在し、
前記弁蓋は、前記開口の前記側部を越えて外向きに延在する側部を有する、
接触トレー。
【請求項２】
前記脚部及び前記開口の前記延長部は、前記弁蓋が上下に移動することを可能にするため、前記脚部が前記開口の前記延長部内で垂直に移動可能であるように構成されている、請求項１に記載の接触トレー。
【請求項３】
前記脚部のそれぞれが、前記トレーデッキの下に延在する下部を有する、請求項２に記載の接触トレー。
【請求項４】
前記脚部のそれぞれの前記下部は、前記開口の前記延長部内における前記脚部の前記垂直移動を制限するため、前記トレーデッキに接触する停止部を含む、請求項３に記載の接触トレー。
【請求項５】
前記脚部のうちの少なくとも１つの前記下部が、互いに横方向に離間した関係に位置付けられた一対の前記停止部を含む、請求項４に記載の接触トレー。
【請求項６】
前記弁蓋の前記側部が下向きに延在している、請求項４に記載の接触トレー。
【請求項７】
前記脚部の対向する側部に隣接して位置付けられ、前記弁蓋の前記側部の下に下向きに延在する偏向板を含む、請求項６に記載の接触トレー。
【請求項８】
前記偏向板が前記脚部の外側に位置付けられている、請求項７に記載の接触トレー。
【請求項９】
前記脚部のそれぞれが、前記弁蓋の幅よりも小さい幅を有し、前記脚部のうちの一方の幅が他方の脚部よりも大きい、請求項６に記載の接触トレー。
【請求項１０】
前記開口の前記中央部分が円形であり、前記延長部が矩形である、請求項９に記載の接触トレー。
【請求項１１】
物質移動カラムで使用するための接触トレーであって、前記接触トレーは、
液体流を受容するためのトレーデッキと、
前記トレーデッキ全体に分配された複数の弁と、を備え、
前記弁のそれぞれは、
中央部分と、前記中央部分の対向する端部から外向きに延在する矩形延長部と、を有し、前記液体流が前記トレーデッキ上に受容されたときに、前記液体流と相互作用するように、流体が前記トレーデッキを通過することを可能にする前記トレーデッキ内の開口と、
前記開口の前記中央部分の対向する側部に沿って上向きに延在する壁部分と、
弁本体と、を含み、
前記弁本体は、前記開口の上で被覆関係に位置付けられる弁蓋と、脚部と、を含み、
前記脚部は、前記弁蓋の対向する端部に位置する凹部において前記弁蓋に取り付けられ、前記開口の前記延長部を通って下向きに延在し、
前記脚部のそれぞれは、前記トレーデッキの下に延在する下部を有し、
前記脚部及び前記開口の前記延長部は、前記弁蓋が上下に移動することを可能にするため、前記開口の前記延長部内で垂直に移動可能であるように構成され、
前記脚部のそれぞれは、前記弁蓋の幅よりも小さい幅を有し、
前記脚部のうちの一方の幅は他方の脚部よりも大きく、
前記弁蓋は、前記開口の前記側部を越えて外向きに延在する側部を有する、
接触トレー。
【請求項１２】
前記脚部のそれぞれの前記下部が、前記開口の前記延長部内における前記脚部の前記垂直移動を制限するために、前記トレーデッキに接触する停止部を含む、請求項１１に記載の接触トレー。
【請求項１３】
前記脚部のうちの少なくとも１つの前記下部が、互いに横方向に離間した関係に位置付けられた一対の前記停止部を含む、請求項１２に記載の接触トレー。
【請求項１４】
前記脚部のそれぞれの前記下部が、互いに横方向に離間した関係に位置付けられた一対の前記停止部を含む、請求項１３に記載の接触トレー。
【請求項１５】
前記弁蓋の前記側部が下向きに延在している、請求項１４に記載の接触トレー。
【請求項１６】
前記脚部の周囲の蒸気の通過を制限するため、前記脚部の対向する側部に隣接して位置付けられ、前記弁蓋の前記側部の下に下向きに延在する偏向板を含む、請求項１５に記載の接触トレー。
【請求項１７】
物質移動カラムで使用するための接触トレーであって、前記接触トレーは、
液体流を受容するためのトレーデッキと、
前記トレーデッキ全体に分配された複数の弁と、を備え、
前記弁のそれぞれは、円形中央部分と、前記中央部分の対向する端部から外向きに延在する矩形延長部と、を有し、前記液体流が前記トレーデッキに受容されたときに、前記液体流と相互作用するように、流体が前記トレーデッキを通過することを可能にする前記トレーデッキ内の開口と、弁本体と、を含み、
前記弁本体は、前記開口の上で被覆関係に位置付けられた弁蓋と、前記弁蓋の対向する端部に位置する凹部において前記弁蓋に取り付けられ、前記開口内の前記延長部を通って下向きに延在する脚部と、前記脚部の周囲の蒸気の通路を制限するため、前記脚部の対向する側部に隣接して位置付けられ、前記弁蓋の前記側部の下に下向きに延在する偏向板と、を含み、
前記脚部のそれぞれは、前記トレーデッキの下に延在する下部を有し、
前記脚部及び前記開口の前記延長部は、前記弁蓋が上下に移動することを可能にするため、前記脚部が前記開口の前記延長部内で垂直に移動可能であるように構成されており、
前記脚部のそれぞれの前記下部は、前記開口の前記延長部内における前記脚部の前記垂直移動を制限するため、前記トレーデッキに接触する停止部を含み、
前記弁蓋は、前記開口の前記側部を越えて外向きに延在する湾曲した側部を有し、
前記脚部のそれぞれは、前記弁蓋の幅よりも小さい幅を有する、
接触トレー。
【請求項１８】
前記脚部のそれぞれの前記下部が、互いに横方向に離間した関係に位置付けられた一対の前記停止部を含み、前記脚部のうちの一方の前記幅は、他方の脚部よりも大きい、請求項１７に記載の接触トレー。
【請求項１９】
前記弁蓋の前記側部が下向きに延在している、請求項１７に記載の接触トレー。
【請求項２０】
前記開口の前記中央部分の対向する側部に沿って上向きに延在する壁部分を含む、請求項１９に記載の接触トレー。
【請求項２１】
前記弁蓋が円形である、請求項２０に記載の接触トレー。
【請求項２２】
物質移動カラムで使用するための接触トレーであって、前記接触トレーは、
液体流を受容するためのトレーデッキと、
前記トレーデッキ全体に分配された複数の弁と、を備え、
前記弁のそれぞれは、
中央部分と、前記中央部分の対向する端部から外向きに延在し、横断して延在するスロットを含む、延長部と、を有して、前記液体流が前記トレーデッキ上に受容されたときに、前記液体流と相互作用するように、蒸気が前記トレーデッキを通過することを可能にするための前記トレーデッキ内の開口と、
前記開口の前記中央部分の対向する側部に沿って上向きに延在する壁部分と、
弁本体と、を含み、
前記弁本体は、台形弁蓋を含み、
前記弁蓋は、前記開口及び前記延長部の上で被覆関係に位置付けられ、前記弁蓋の対向する端部において前記弁蓋に取り付けられ、前記開口の前記延長部の前記スロットを通って下向きに延在する脚部と、前記中央部分の前記側部及び前記開口の前記延長部を越えて外向きに延在する側部を有する、
接触トレー。
【請求項２３】
前記脚部のそれぞれが、前記トレーデッキの下に延在する下部を有し、前記開口の前記延長部内の前記スロット内における前記脚部の前記垂直移動を制限するために、前記トレーデッキに接触する停止部を含む、請求項２２に記載の接触トレー。
【請求項２４】
前記脚部のうちの少なくとも１つの前記下部が、互いに横方向に離間した関係に位置付けられた一対の前記停止部を含む、請求項２３に記載の接触トレー。
【請求項２５】
前記弁蓋の前記側部が下向きに延在している、請求項２３に記載の接触トレー。
【請求項２６】
蒸気が前記開口を通過した後に、前記脚部のうちの１つを通る前記蒸気の通過を可能にするために、前記脚部のうちの１つに位置付けられた脱気孔を含む、請求項２５に記載の接触トレー。